(57)【要約】【課題】  アンカーボルトの取り付け位置にかかわらず、予め必要な部材を製作しておくことができ、簡単に施工することができる可撓止水構造を提供すること。【解決手段】  コンクリート構造物１１，１１間の目地部１２に跨って配置される可撓止水部材１３の碇着部１３ａに押え部材１７を当て、アンカーボルト１４に中間部１８ｃが支持固定される固定部材１８の先端部１８ａで押え部材１７を押えるようにすることで、アンカーボルトの位置にかかわらず、所定位置の押え部材１７を押えて可撓止水部材１３を取り付ける。  これにより、アンカーボルト１４の取り付け位置が決まる前でも可撓止水部材１３、押え部材１７、固定部材１８を製作でき、施工も容易で、短期間に施工できるようになる。【選択図】  図１
2008280748.tif 000002
【特許請求の範囲】
【請求項１】
コンクリート構造物間の目地部に跨って配置される可撓止水部材と、
この可撓止水部材の両端部の碇着部に当てられて前記コンクリート構造物で挟むように押える押え部材と、
前記コンクリート構造物に取り付けたアンカーボルトに中間部が支持固定され基端部を当該コンクリート構造物に当てるとともに、先端部で前記押え部材を押えて前記碇着部を圧接する固定部材とを備えたことを特徴とする可撓止水構造。
【請求項２】
前記押え部材を溝形状に構成したことを特徴とする請求項１記載の可撓止水構造。
【請求項３】
前記固定部材の前記先端部から前記基端部までの長さを、前記アンカーボルトの直径の４倍以上としたことを特徴とする請求項１または２記載の可撓止水構造。
【請求項４】
前記固定部材を、前記先端部および前記基端部に前記コンクリート構造物側に突き出す突出部を形成するとともに、先端部の突出部を湾曲形状に形成したことを特徴とする請求項１〜３のいずれかに記載の可撓止水構造。
【請求項５】
前記固定部材を、前記押え部材に対して直交させずに交差させて配置したことを特徴とする請求項１〜４のいずれかに記載の可撓止水構造。
【請求項６】
前記固定部材を、前記中間部の前後の前記先端部と前記基端部とを角度を持たせて形成したことを特徴とする請求項１〜５のいずれかに記載の可撓止水構造。
【発明の詳細な説明】
【技術分野】
【０００１】
この発明は、可撓止水構造に関し、コンクリートで構築される、水路、水処理施設、トンネル、共同溝などのコンクリート構造物の目地部に設置して止水および相対変位を可能として構造物の破損を防止できるようにしたものである。
【背景技術】
【０００２】
コンクリートで構築されるコンクリート構造物である水路や水槽あるいは共同溝等の地中に構築される暗渠などの壁部分の目地部には、内外を止水するとともにその両側のコンクリート構造物の不等沈下や地震時変位並びに温度変化等に起因する壁部分の伸縮等を許容する必要があり、ゴムや合成樹脂の止水板などの可撓止水部材を設けた可撓止水構造が採られている。
【０００３】
このような可撓止水構造として、例えば特許文献１に開示された止水構造があり、図５に示すように、弾性材と一層以上の応力材を埋設した目地材１の中程にＵ型の溝状の余長部２を形成するとともに、両側に係止部３，３を形成して目地材１を構成する一方、コンクリート構造物４，４間の目地部５に形成した凹部６に目地材１の余長部２を納め、両側の係止部３、３をコンクリート構造物４，４に埋設固定したアンカーボルト７と押え板８を介して取り付けるようにしている。これにより、コンクリート構造物４，４の内側への目地材１の突き出しをなくし、水路とする場合の流れの抵抗を防止する。
【特許文献１】特開２０００−６４４４６号公報
【発明の開示】
【発明が解決しようとする課題】
【０００４】
このような止水構造は、新たにコンクリート構造物を構築する場合だけでなく、既存のコンクリート構造物に設けることで耐震補強を行なうために施工されたり、補修のために施工される。
【０００５】
ところが、この止水構造を既設の暗渠などのコンクリート構造物に施工しようとすると、目地材１を固定するアンカーボルト７をコンクリート構造物４，４に穿孔して取り付ける必要があるが、コンクリート構造物４，４の鉄筋に当たる場合があり、穿孔位置をずらしてアンカーボルト７を取り付けなければならないことも多い。
【０００６】
このため、アンカーボルト７の取り付けが終わった段階で現場でボルトピッチなどを測定し、その結果に合わせて押え板８、目地材１などの製作及び孔加工を行なう必要があり、製作や孔加工が煩雑であり、工期も長くなるという問題がある。
【０００７】
この発明は、かかる従来技術の問題に鑑みてなされたものであって、アンカーボルトの取り付け位置にかかわらず、予め必要な部材を製作しておくことができ、簡単に施工することができる可撓止水構造を提供しようとするものである。
【課題を解決するための手段】
【０００８】
上記課題を解決するためこの発明の請求項１記載の可撓止水構造は、コンクリート構造物間の目地部に跨って配置される可撓止水部材と、この可撓止水部材の両端部の碇着部に当てられて前記コンクリート構造物で挟むように押える押え部材と、前記コンクリート構造物に取り付けたアンカーボルトに中間部が支持固定され基端部を当該コンクリート構造物に当てるとともに、先端部で前記押え部材を押えて前記碇着部を圧接する固定部材とを備えたことを特徴とするものである。
【０００９】
この可撓止水構造によれば、コンクリート構造物間の目地部に跨って配置される可撓止水部材と、この可撓止水部材の両端部の碇着部に当てられて前記コンクリート構造物で挟むように押える押え部材と、前記コンクリート構造物に取り付けたアンカーボルトに中間部が支持固定され基端部を当該コンクリート構造物に当てるとともに、先端部で前記押え部材を押えて前記碇着部を圧接する固定部材とを備えており、可撓止水部材の碇着部に押え部材を当て、アンカーボルトに中間部が支持固定される固定部材の先端部で押え部材を押えるようにすることで、アンカーボルトの位置にかかわらず、所定位置の押え部材を押えて可撓止水部材を取り付けるようにしている。
【００１０】
これにより、アンカーボルトの取り付け位置が決まる前でも可撓止水部材、押え部材、固定部材を製作でき、施工も容易で、短期間に施工できるようになる。
【００１１】
また、この発明の請求項２記載の可撓止水構造は、請求項１記載の構成に加え、前記押え部材を溝形状に構成したことを特徴とするものである。
【００１２】
この可撓止水構造によれば、押え部材を溝形状に構成しており、板状の場合に比べ、剛性を高めることができるとともに、軽量化を図ることができるようになる。
【００１３】
さらに、この発明の請求項３記載の可撓止水構造は、請求項１または２記載の構成に加え、前記固定部材の前記先端部から前記基端部までの長さを、前記アンカーボルトの直径の４倍以上としたことを特徴とするものである。
【００１４】
この可撓止水構造によれば、前記固定部材の前記先端部から前記基端部までの長さを、前記アンカーボルトの直径の４倍以上としており、アンカーボルトで固定部材を締め付けたときのたわみ量を大きくすることで、押え部材を弾性バネ的に押えることができるようになる。
【００１５】
また、この発明の請求項４記載の可撓止水構造は、請求項１〜３のいずれかに記載の構成に加え、前記固定部材を、前記先端部および前記基端部に前記コンクリート構造物側に突き出す突出部を形成するとともに、先端部の突出部を湾曲形状に形成したことを特徴とするものである。
【００１６】
この可撓止水構造によれば、前記固定部材を、前記先端部および前記基端部に前記コンクリート構造物側に突き出す突出部を形成するとともに、先端部の突出部を湾曲形状に形成してあり、固定部材を一層たわみ易くでき、押え部材をより一層弾性バネ的に押えることができるようになる。
【００１７】
さらに、この発明の請求項５記載の可撓止水構造は、請求項１〜４のいずれかに記載の構成に加え、前記固定部材を、前記押え部材に対して直交させずに交差させて配置したことを特徴とするものである。
【００１８】
この可撓止水構造によれば、固定部材を、押え部材に対して直交させずに交差させて配置しており、固定部材が押え部材に対して角度をもつ分だけ固定部材の目地幅方向への突き出し量を少なくでき、これによって可撓止水構造自体の取り付け幅を狭くして省スペースにできるようになる。
【００１９】
また、この発明の請求項６記載の可撓止水構造は、請求項１〜５のいずれかに記載の構成に加え、前記固定部材を、前記中間部の前後の前記先端部と前記基端部とを角度を持たせて形成したことを特徴とするものである。
【００２０】
この可撓止水構造によれば、固定部材を、中間部の前後の先端部と基端部とを角度を持たせて形成してあり、固定部材に、例えばクランク状に角度を持たせることで、固定部材の取付位置に障害物などがあってもこれを回避して取り付けることができるようになるとともに、アンカーボルトと押える位置をずらして固定することで、アンカーボルトの位置にかかわらず押える位置の間隔を保つこともできるようになる。
【発明の効果】
【００２１】
この発明の請求項１記載の可撓止水構造によれば、コンクリート構造物間の目地部に跨って配置される可撓止水部材と、この可撓止水部材の両端部の碇着部に当てられて前記コンクリート構造物で挟むように押える押え部材と、前記コンクリート構造物に取り付けたアンカーボルトに中間部が支持固定され基端部を当該コンクリート構造物に当てるとともに、先端部で前記押え部材を押えて前記碇着部を圧接する固定部材とを備えているので、可撓止水部材の碇着部に押え部材を当て、アンカーボルトに中間部が支持固定される固定部材の先端部で押え部材を押えるようにすることで、アンカーボルトの位置にかかわらず、所定位置の押え部材を押えて可撓止水部材を取り付けることができる。
【００２２】
これにより、アンカーボルトの取り付け位置が決まる前でも可撓止水部材、押え部材、固定部材を製作でき、施工も容易で、短期間に施工することができる。
【００２３】
また、この発明の請求項２記載の可撓止水構造によれば、押え部材を溝形状に構成したので、板状の場合に比べ、剛性を高めることができるとともに、軽量化を図ることができる。
【００２４】
さらに、この発明の請求項３記載の可撓止水構造によれば、前記固定部材の前記先端部から前記基端部までの長さを、前記アンカーボルトの直径の４倍以上としたので、アンカーボルトで固定部材を締め付けたときのたわみ量を大きくすることができ、押え部材を弾性バネ的に押えることができる。
【００２５】
また、この発明の請求項４記載の可撓止水構造によれば、前記固定部材を、前記先端部および前記基端部に前記コンクリート構造物側に突き出す突出部を形成するとともに、先端部の突出部を湾曲形状に形成したので、固定部材を一層たわみ易くすることができ、押え部材をより一層弾性バネ的に押えることができる。
【００２６】
さらに、この発明の請求項５記載の可撓止水構造によれば、固定部材を、押え部材に対して直交させずに交差させて配置したので、固定部材が押え部材に対して角度をもつ分だけ固定部材の目地幅方向への突き出し量を少なくすることができ、これによって可撓止水構造自体の取り付け幅を狭くして省スペースにすることができる。
【００２７】
また、この発明の請求項６記載の可撓止水構造によれば、固定部材を、中間部の前後の先端部と基端部とを角度を持たせて形成したので、固定部材に、例えばクランク状に角度を持たせることなどで、固定部材の取付位置に障害物などがあってもこれを回避して取り付けることができるとともに、アンカーボルトと押える位置をずらして固定することもできで、アンカーボルトの位置にかかわらず押える位置の間隔を保つこともできる。
【発明を実施するための最良の形態】
【００２８】
以下、この発明の一実施の形態について、図面に基づき詳細に説明する。  
図１および図２はこの発明の可撓止水構造の一実施の形態にかかり、図１は全体の概略横断面図、図２は部分拡大図および部分拡大斜視図である。
【００２９】
この可撓止水構造１０では、例えば既設のコンクリート構造物１１，１１の目地部１２に跨るように設けることで、止水するとともに、目地部１２の両側のコンクリート構造体１１，１１の不等沈下や地震時変位並びに温度変化等に起因する壁部分の伸縮等を許容するゴムや合成樹脂などの可撓止水部材１３の固定に特徴があり、新設するアンカーボルト１４のボルトピッチに鉄筋などとの干渉防止のためにズレなどが生じても簡単に対応できるようにしたものである。
【００３０】
この可撓止水構造１０に用いられる可撓止水部材１３は、長尺帯状の幅方向中間部に略Ω字状に折り畳んだ折り畳み部１３ａを備えるとともに、幅方向両端部に平板状の碇着部１３ｂが設けられてゴムや合成樹脂などの弾性部材で構成され、必要に応じて補強部材が一層ないし複数層埋設される。
【００３１】
この可撓止水構造１０では、コンクリート構造物１１、１１の目地部１２を跨ぐように可撓止水部材１３の碇着部１３ｂ、１３ｂが配置されるが、コンクリート構造物１１、１１の目地部１２上にポリエステルなどの補強布１５が敷かれ、その上に可撓止水部材１３が設置され、この可撓止水部材１３の両側の碇着部１３ｂ、１３ｂまでの上部全体を覆うように保護カバー１６が設けられる。
【００３２】
この可撓止水構造１０では、可撓止水部材１３の碇着部１３ｂに当てられる押え部材１７が用いられ、上方が開口したコ字状に横断面形状が構成してあり、例えば溝幅が６０ｍｍ程度、溝高さが３０ｍｍ程度、厚さが３ｍｍ程度とされる。この横断面形状により、平板状とする場合に比べ剛性を高めることができるとともに、軽量化を図ることができる。
【００３３】
なお、さらに剛性を上げる必要がある場合には、溝底部上に平板状の板を介在させるようにすれば良い。
【００３４】
この可撓止水構造１０では、押え部材１７をアンカーボルト１４で直接コンクリート構造物１１、１１に固定することなく、固定部材１８を用いて支持固定される。
【００３５】
この固定部材１８は、先後端部にほぼ垂直に同一側に突き出した先端突出部１８ａと後端突出部１８ｂを備えるとともに、板状の中間部１８ｃにアンカーボルト用の取り付け穴１８ｄが形成されて構成されており、先端突出部１８ａは板状の中間部１８ｃに対して上方に湾曲した湾曲部１８ｅを介してほぼ垂直に突き出している。そして、この固定部材１８では、中間部１８ｃを取付位置として、作用点となる先端突出部１８ａと、固定部材１８の支持点となる後端突出部１８ｂまでの距離Ｌがアンカーボルト１４の直径ｄの４倍以上なおかつアンカーボルト１４の取付位置を中間部にすることで、これによって力点となるアンカーボルト１８による締付け時に固定部材１８に発生するたわみ量を大きくし、押え部材１７を弾性バネ的に押えることができるようにしている。
【００３６】
さらに、固定部材１８の先端突出部１８ａに湾曲部１８ｅを設けてあるので、一層たわみ易くすることができる。
【００３７】
このような固定部材１８は、例えば先端突出部１８ａから後端突出部１８ｂまでの距離Ｌが２００ｍｍ程度、横幅が４０ｍｍ程度、板厚が１２ｍｍ程度とされ、先端突き出し量が４０ｍｍ程度としてある。
【００３８】
アンカーボルト１４としては、例えばケミカルアンカーが用いられ、ステンレス製のボルトが使用される。
【００３９】
このような部材を用いる可撓止水構造１０は、既設のコンクリート構造物１１、１１の目地部１２の両側にアンカーボルト１４が穿孔して取り付けられる。
【００４０】
このアンカーボルト１４の取り付け後、コンクリート構造物１１、１１の目地部１２を跨ぐように、補強布１５を敷き、その上に可撓止水部材１３を載せ、保護カバー１６で覆った後、碇着部１３ｂの上に押え部材１７を目地部１２と平行に配置する。
【００４１】
この後、固定部材１８の中間部１８ｃのアンカーボルト用の取り付け穴１８ｄにアンカーボルト１４を入れるとともに、先端突出部１８ａを押え部材１７の溝内に位置するようにし、ナット１４ａで締付ける。
【００４２】
このようなアンカーボルト１４への固定部材１８の取り付け、ナット１４ａによる締め付けを繰り返すことで、可撓止水部材１３を固定する。
【００４３】
こうして固定部材１８を介して押え部材１７で支持固定することで、固定部材１８のたわみを利用して押えることができ、押え部材１７を弾性バネ的に取り付けることができる。
【００４４】
また、アンカーボルト１４を、コンクリート構造物１１、１１に穿孔して取り付ける場合に、鉄筋との干渉を防止するため取り付け位置をずらしても、図２に示すように、押え部材１７の溝幅の範囲で目地部１２の幅方向に位置調整ができるとともに、目地部１２の軸方向には、自由に位置調整することができる。
【００４５】
したがって、これまでのアンカーボルトの位置が決まってからボルトピッチを測定し、これに基づいて可撓止水部材、押え板、保護カバーなどの穴加工をする必要がなく、アンカーボルト１４の設置と並行して可撓止水部材１３、押え部材１７、固定部材１８の製作を行うことができ、可撓止水構造１０の施工を短期間に完了することができる。
【００４６】
また、この発明の可撓止水構造１０では、図３に示すように、固定部材１８を可撓止水部材１３の碇着部１３ａ上の押え部材１７に対して直角に配置せず、アンカーボルト１４を中心に角度をもたせて配置することもでき、可撓止水構造１０の施工に必要な幅を狭くすることができ、取付スペースを小さくすることができる。
【００４７】
さらに、押え部材１７を配置する予定位置に対してアンカーボルト１７の埋設位置が接近した場合にも同一の固定部材１８をそのまま用いて角度を変えて対応することができる。
【００４８】
また、この発明の可撓止水構造１０では、図４に平面状態を示すように、固定部材１９を、上記の直線状としたものに替え、アンカーボルト１７の取付穴１９ａが形成された中間部１９ｂから先端側と後端側とに角度を持たせて構成してあり、先端側は平面形状がＬ字状の先端部１９ｃとされ、後端側は先端部に対して平面形状が４５度の角度の後端部１９ｄとされ、これら先後端部１９ｃ，１９ｄが一体に成形されて略クランク状に構成され、先後端部１９ｃ、１９ｄの先端には下方に突き出す先後端突出部１９ｅ、１９ｆが形成されるとともに、先端部１９ｃは、湾曲させた湾曲部１９ｇとしてある。
【００４９】
そして、この固定部材１９では、先後端突出部１９ｅ，１９ｆとアンカーボルト用の取付穴１９ａとが一直線状に位置するように形成してある。
【００５０】
このような角度を持たせて構成した固定部材１９を用いることで、図４に示すように、障害物２０があってもこれを回避して押え部材１７を押えることができるとともに、障害物２０がない場合の押えるべき位置で押えることができ、障害物２０があっても固定部材１８、１９による押え位置を一定間隔にすることができる。
【００５１】
なお、上記実施の形態では、可撓止水部材として中間部に折り畳み部を備えたものを例に説明したが、これに限らず、他の形状の可撓止水部材を用いることもできる。
【図面の簡単な説明】
【００５２】
【図１】この発明の可撓止水構造の一実施の形態にかかる全体の概略横断面図である。
【図２】この発明の可撓止水構造の一実施の形態にかかる部分拡大図および部分拡大斜視図である。
【図３】この発明の可撓止水構造の一実施の形態にかかる固定部材の配置の概略平面図である。
【図４】この発明の可撓止水構造の他の一実施の形態にかかる固定部材の平面図および斜視図である。
【図５】従来の止水構造の横断面図である。
【符号の説明】
【００５３】
１０        可撓止水構造
１１        コンクリート構造物
１２        目地部
１３        可撓止水部材
１３ａ      折り畳み部
１３ｂ      碇着部
１４        アンカーボルト
１４ａ      ナット
１５        補強布
１６        保護カバー
１７        押え部材
１８        固定部材
１８ａ      先端突出部
１８ｂ      後端突出部
１８ｃ      中間部
１８ｄ      取り付け穴
１８ｅ      湾曲部
１９        固定部材
１９ａ      取付穴
１９ｂ      中間部
１９ｃ      Ｌ字状の先端部
１９ｄ      後端部
１９ｅ      先端突出部
１９ｆ      後端突出部
１９ｇ      湾曲部
２０        障害物
【図１】
2008280748.tif 000003
【図２】
2008280748.tif 000004
【図３】
2008280748.tif 000005
【図４】
2008280748.tif 000006
【図５】
2008280748.tif 000007